【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
被検体に光が照射されて発生した光音響波に基づいて前記被検体内部の光吸収係数である機能情報を示す機能画像を作成し、前記被検体内部で反射した超音波に基づいて前記被検体内部の形態情報を示す形態画像を作成する信号処理部を備え、
前記信号処理部は、前記機能画像を複数の領域に分割し、前記複数の領域のそれぞれに異なる画像処理を行い、処理された前記機能画像を前記形態画像に重畳し、重畳の結果として作成された重畳画像を表示部に表示し、
前記信号処理部は、前記機能画像を、前記機能画像の画素値に関する複数の閾値パラメータに基づいて前記複数の領域に分割し、
前記信号処理部は、前記機能画像に行う異なる画像処理として、前記機能情報が前記複数の閾値パラメータの中の所定の閾値パラメータ以上である領域の透過率を低減する処理を行う
ことを特徴とする被検体情報取得装置。
【請求項２】
前記信号処理部は、前記機能画像の前記複数の領域のそれぞれに異なる透過率が設定されるような画像処理を行う
ことを特徴とする請求項１に記載の被検体情報取得装置。
【請求項３】
前記信号処理部は、前記機能画像の前記複数の領域のそれぞれに異なる色相が設定されるような画像処理を行う
ことを特徴とする請求項１に記載の被検体情報取得装置。
【請求項４】
前記被検体に光が照射されて発生した前記光音響波を受信する光音響プローブと、
前記被検体に送信され前記被検体内部で反射した前記超音波を受信する超音波プローブと、
をさらに備えることを特徴とする請求項１ないし３のいずれか１項に記載の被検体情報取得装置。
【請求項５】
前記光音響プローブは、前記超音波プローブを兼ねる
ことを特徴とする請求項４に記載の被検体情報取得装置。
【請求項６】
前記被検体に送信された超音波は、前記超音波プローブから送信されたものである
ことを特徴とする請求項４または５に記載の被検体情報取得装置。
【請求項７】
ユーザが前記複数の閾値パラメータを指示するための入力部をさらに備える
ことを特徴とする請求項１ないし６のいずれか１項に記載の被検体情報取得装置。
【請求項８】
前記信号処理部は、前記複数の閾値パラメータを、前記被検体内部の前記領域の規模に応じて設定する
ことを特徴とする請求項１ないし７のいずれか１項に記載の被検体情報取得装置。
【請求項９】
前記信号処理部は、特定の規模以上の血管を含む注目領域と、前記血管を含まない非注目領域とが区別されるように、前記複数の閾値パラメータを設定する
ことを特徴とする請求項１ないし７のいずれか１項に記載の被検体情報取得装置。
【請求項１０】
ユーザが前記複数の閾値パラメータの中の前記所定の閾値パラメータを指示するための入力部をさらに備え、
前記信号処理部は、前記ユーザにより前記所定の閾値パラメータが変更されることに応じて、前記重畳画像を更新する
ことを特徴とする請求項１ないし９のいずれか１項に記載の被検体情報取得装置。
【請求項１１】
前記信号処理部は、前記複数の閾値パラメータのレンジを示すグラフィックを前記表示部に表示する
ことを特徴とする請求項１ないし１０のいずれか１項に記載の被検体情報取得装置。
【請求項１２】
前記信号処理部は、前記グラフィックとして、バーを表示する
ことを特徴とする請求項１１に記載の被検体情報取得装置。
【請求項１３】
光源をさらに備える
ことを特徴とする請求項１ないし１２のいずれか１項に記載の被検体情報取得装置。
【請求項１４】
前記閾値パラメータは、前記機能画像の各位置における画素値に適用される
ことを特徴とする請求項１ないし１３のいずれか１項に記載の被検体情報取得装置。
【請求項１５】
信号処理部を備える被検体情報取得装置を用いた被検体情報取得方法であって、
前記信号処理部が、被検体に光が照射されて発生した光音響波に基づいて前記被検体内部の光吸収係数である機能情報を示す機能画像を作成し、前記被検体内部で反射した超音波に基づいて前記被検体内部の形態情報を示す形態画像を作成する、作成ステップを有し、
前記作成ステップにおいて、前記信号処理部は、
前記機能画像を複数の領域に分割し、前記複数の領域のそれぞれに異なる画像処理を行い、処理された前記機能画像を前記形態画像に重畳し、重畳の結果として作成された重畳画像を表示部に表示し、
前記機能画像を、前記機能画像の画素値に関する複数の閾値パラメータに基づいて前記複数の領域に分割し、
前記機能画像に行う異なる画像処理として、前記機能情報が前記複数の閾値パラメータの中の所定の閾値パラメータ以上である領域の透過率を低減する処理を行う
ことを特徴とする被検体情報取得方法。
【請求項１６】
前記作成ステップにおいて、前記信号処理部は、前記機能画像の前記複数の領域のそれ
ぞれに異なる透過率が設定されるような画像処理を行う
ことを特徴とする請求項１５に記載の被検体情報取得方法。
【請求項１７】
前記作成ステップにおいて、前記信号処理部は、前記機能画像の前記複数の領域のそれぞれに異なる色相が設定されるような画像処理を行う
ことを特徴とする請求項１５に記載の被検体情報取得方法。
【請求項１８】
前記被検体情報取得装置は、光音響プローブと超音波プローブをさらに備えており、
前記光音響プローブが、前記被検体に光が照射されて発生した前記光音響波を受信する光音響受信ステップと、
前記超音波プローブが、前記被検体に送信され前記被検体内部で反射した前記超音波を受信する超音波受信ステップと、
をさらに有する
ことを特徴とする請求項１５ないし１７のいずれか１項に記載の被検体情報取得方法。
【請求項１９】
前記光音響プローブは、前記超音波プローブを兼ねる
ことを特徴とする請求項１８に記載の被検体情報取得方法。
【請求項２０】
前記被検体に送信された超音波は、前記超音波プローブから送信されたものである
ことを特徴とする請求項１８または１９に記載の被検体情報取得方法。
【請求項２１】
前記被検体情報取得装置は、入力部をさらに備えており、
ユーザが前記入力部を用いて前記複数の閾値パラメータを指示する入力ステップをさらに有する
ことを特徴とする請求項１５ないし２０のいずれか１項に記載の被検体情報取得方法。
【請求項２２】
前記作成ステップにおいて、前記信号処理部は、前記複数の閾値パラメータを、前記被検体内部の前記領域の規模に応じて設定する
ことを特徴とする請求項１５ないし２１のいずれか１項に記載の被検体情報取得方法。
【請求項２３】
前記作成ステップにおいて、前記信号処理部は、特定の規模以上の血管を含む注目領域と、前記血管を含まない非注目領域とが区別されるように、前記複数の閾値パラメータを設定する
ことを特徴とする請求項１５ないし２１のいずれか１項に記載の被検体情報取得方法。
【請求項２４】
前記被検体情報取得装置は、入力部をさらに備えており、
ユーザが前記複数の閾値パラメータの中の前記所定の閾値パラメータを指示する入力ステップをさらに有し、
前記作成ステップにおいて、前記信号処理部は、前記ユーザにより前記所定の閾値パラメータが変更されることに応じて、前記重畳画像を更新する
ことを特徴とする請求項１５ないし２３のいずれか１項に記載の被検体情報取得方法。
【請求項２５】
前記作成ステップにおいて、前記信号処理部は、前記複数の閾値パラメータのレンジを示すグラフィックを前記表示部に表示する
ことを特徴とする請求項１５ないし２４のいずれか１項に記載の被検体情報取得方法。
【請求項２６】
前記作成ステップにおいて、前記信号処理部は、前記グラフィックとして、バーを表示する
ことを特徴とする請求項２５に記載の被検体情報取得方法。
【請求項２７】
前記被検体情報取得装置は、光源をさらに備えている
ことを特徴とする請求項１５ないし２６のいずれか１項に記載の被検体情報取得方法。
【請求項２８】
前記閾値パラメータは、前記機能画像の各位置における画素値に適用される
ことを特徴とする請求項１５ないし２７のいずれか１項に記載の被検体情報取得方法。
【手続補正２】
【補正対象書類名】明細書
【補正対象項目名】発明の名称
【補正方法】変更
【補正の内容】
【発明の名称】被検体情報取得装置および被検体情報取得方法
【手続補正３】
【補正対象書類名】明細書
【補正対象項目名】０００１
【補正方法】変更
【補正の内容】
【０００１】
本発明は、被検体情報取得装置および被検体情報取得方法に関する。
【手続補正４】
【補正対象書類名】明細書
【補正対象項目名】００１０
【補正方法】変更
【補正の内容】
【００１０】
本発明は、以下の構成を採用する。すなわち、
被検体に光が照射されて発生した光音響波に基づいて前記被検体内部の光吸収係数である機能情報を示す機能画像を作成し、前記被検体内部で反射した超音波に基づいて前記被検体内部の形態情報を示す形態画像を作成する信号処理部を備え、
前記信号処理部は、前記機能画像を複数の領域に分割し、前記複数の領域のそれぞれに異なる画像処理を行い、処理された前記機能画像を前記形態画像に重畳し、重畳の結果として作成された重畳画像を表示部に表示し、
前記信号処理部は、前記機能画像を、前記機能画像の画素値に関する複数の閾値パラメータに基づいて前記複数の領域に分割し、
前記信号処理部は、前記機能画像に行う異なる画像処理として、前記機能情報が前記複数の閾値パラメータの中の所定の閾値パラメータ以上である領域の透過率を低減する処理を行う
ことを特徴とする被検体情報取得装置である。
本発明は、また、以下の構成を採用する。すなわち、
信号処理部を備える被検体情報取得装置を用いた被検体情報取得方法であって、
前記信号処理部が、被検体に光が照射されて発生した光音響波に基づいて前記被検体内部の光吸収係数である機能情報を示す機能画像を作成し、前記被検体内部で反射した超音波に基づいて前記被検体内部の形態情報を示す形態画像を作成する、作成ステップを有し、
前記作成ステップにおいて、前記信号処理部は、
前記機能画像を複数の領域に分割し、前記複数の領域のそれぞれに異なる画像処理を行い、処理された前記機能画像を前記形態画像に重畳し、重畳の結果として作成された重畳画像を表示部に表示し、
前記機能画像を、前記機能画像の画素値に関する複数の閾値パラメータに基づいて前記複数の領域に分割し、
前記機能画像に行う異なる画像処理として、前記機能情報が前記複数の閾値パラメータの中の所定の閾値パラメータ以上である領域の透過率を低減する処理を行う
ことを特徴とする被検体情報取得方法である。